(57)【要約】【課題】電気部品装着ブロックを上方からも下方からも組み付けられるようにする。【解決手段】上下方向に貫通したブロック収納空間２を有した箱本体１と、箱本体のブロック収納空間に上方からまたは下方から挿入されることでブロック収納空間内に固定される電気部品装着ブロック１０と、を具備し、ブロック収納空間の内壁３と電気部品装着ブロックの外壁１３との間に、電気部品装着ブロックをブロック収納空間に対して上方から挿入した際にロックする第１ロック手段（第１ロック部４、１４）と、下方から挿入した際にロックする第２ロック手段（第２ロック部５、１５）と、が設けられている。【選択図】図１
2008178167.tif 000002
【特許請求の範囲】
【請求項１】
収納ボックスの上下方向に貫通したブロック収納空間に対して、上方からまたは下方から挿入可能であり、挿入されることで前記ブロック収納空間内に固定される電気部品装着ブロックであって、
前記ブロック収納空間の内壁と対向するブロック自身の外壁に、上方から前記ブロック収納空間内に挿入された際に該ブロック収納空間の内壁側のロック部とロックする第１ロック部と、下方から前記ブロック収納空間内に挿入された際に該ブロック収納空間の内壁側のロック部とロックする第２ロック部と、が設けられていることを特徴とする電気部品装着ブロック。
【請求項２】
上下方向に貫通したブロック収納空間を有した収納ボックスと、該収納ボックスのブロック収納空間に上方からまたは下方から挿入されることで前記ブロック収納空間内に固定される電気部品装着ブロックと、を具備する電気接続箱であって、
前記ブロック収納空間の内壁と前記電気部品装着ブロックの外壁との間に、該電気部品装着ブロックをブロック収納空間に対して上方から挿入した際にロックする第１ロック手段と、下方から挿入した際にロックする第２ロック手段と、が設けられていることを特徴とする電気接続箱。
【請求項３】
請求項２に記載の電気接続箱であって、
前記第１ロック手段は、前記収納ボックス側の第１ロック部と前記電気部品装着ブロック側の第１ロック部の組からなり、これらの１組の第１ロック部は、上方から前記電気部品装着ブロックが収納ボックスのブロック収納空間に挿入された際に、一方の第１ロック部自身が弾性変形することまたは該第１ロック部を設けた壁が弾性変形することで、相手側の第１ロック部の通過を許し且つ通過後に前記弾性変形から復帰することで、互いに係合して上方への電気部品装着ブロックの移動を阻止するものであり、前記第２ロック手段は、前記収納ボックス側の第２ロック部と前記電気部品装着ブロック側の第２ロック部の組からなり、これらの１組の第２ロック部は、下方から前記電気部品装着ブロックが収納ボックスのブロック収納空間に挿入された際に、一方の第２ロック部自身が弾性変形することまたは該第２ロック部を設けた壁が弾性変形することで、相手側の第２ロック部の通過を許し、且つ通過後に前記弾性変形から復帰することで、互いに係合して下方への電気部品装着ブロックの移動を阻止するものであることを特徴とする電気接続箱。
【発明の詳細な説明】
【技術分野】
【０００１】
本発明は、自動車に搭載される電気接続箱の箱本体（収納ボックス）内に収納されるヒュージブルリンクブロック等の電気部品装着ブロック、および、その電気部品装着ブロックとそのブロックを収納する収納ボックス（箱本体）とからなる電気接続箱に関するものである。
【背景技術】
【０００２】
電気接続箱は、種々のブロックやボックス等の組み合わせからなることが多い（例えば、特許文献１参照）。例えば、ヒュージブルリンクブロックは、単体で車両に搭載することの可能なものもあるが、多くの場合は、電気接続箱の箱本体の一部に組み込まれるものとして構成されている。
【０００３】
このようにヒュージブルリンクブロックを電気接続箱の箱本体に組み込む場合、上方からヒュージブルリンクブロックを箱本体に挿入する場合と、下方からヒュージブルリンクブロックを箱本体に挿入する場合とがある。ここで、ヒュージブルリンクブロックの下側から直接ワイヤーハーネスを引き出しているような場合は、下から出ているワイヤーハーネスが上から挿入する際の邪魔になるので、ヒュージブルリンクブロックを上方から箱本体に組み込むことはできない。
【０００４】
そこで、そのような場合は、下方からヒュージブルリンクブロックを箱本体に挿入してロックするようにしている。あるいは、ヒュージブルリンクブロックを箱本体の下側から上側にいったん貫き抜けさせ、その上で、ロックのある位置にヒュージブルリンクブロックを移動し、同ブロックを箱本体に真上から挿入してロックしている。
【特許文献１】特開平１０−２０１０４７号公報
【発明の開示】
【発明が解決しようとする課題】
【０００５】
ところで、ヒュージブルリンクブロックは、車両側の仕様等に応じて上方から組み付けたり下方から組み付けたりする可能性があり、そのいずれにも対応できるようにしておくのが望ましい。従来のヒュージブルリンクブロックは、上方なら上方からだけ、下方なら下方からだけしか、電気接続箱の箱本体に組み付けることができないものであった。このため、同じ仕様のものであっても、組み付け方向の別により、種類が多くなるという問題があった。
【０００６】
本発明は、上記事情を考慮し、上方からも下方からも組み付けることのできるヒュージブルリンクブロック等の電気部品装着ブロック、および、電気部品装着ブロックとそれを収納する収納ボックス（箱本体）とからなる電気接続箱を提供することを目的とする。
【課題を解決するための手段】
【０００７】
請求項１の発明の電気部品装着ブロックは、収納ボックスの上下方向に貫通したブロック収納空間に対して、上方からまたは下方から挿入可能であり、挿入されることで前記ブロック収納空間内に固定される電気部品装着ブロックであって、前記ブロック収納空間の内壁と対向するブロック自身の外壁に、上方から前記ブロック収納空間内に挿入された際に該ブロック収納空間の内壁側のロック部とロックする第１ロック部と、下方から前記ブロック収納空間内に挿入された際に該ブロック収納空間の内壁側のロック部とロックする第２ロック部と、が設けられていることを特徴とする。
【０００８】
請求項２の発明の電気接続箱は、上下方向に貫通したブロック収納空間を有した収納ボックスと、該収納ボックスのブロック収納空間に上方からまたは下方から挿入されることで前記ブロック収納空間内に固定される電気部品装着ブロックと、を具備する電気接続箱であって、前記ブロック収納空間の内壁と前記電気部品装着ブロックの外壁との間に、該電気部品装着ブロックをブロック収納空間に対して上方から挿入した際にロックする第１ロック手段と、下方から挿入した際にロックする第２ロック手段と、が設けられていることを特徴とする。
【０００９】
請求項３の発明は、請求項２に記載の電気接続箱であって、前記第１ロック手段は、前記収納ボックス側の第１ロック部と前記電気部品装着ブロック側の第１ロック部の組からなり、これらの１組の第１ロック部は、上方から前記電気部品装着ブロックが収納ボックスのブロック収納空間に挿入された際に、一方の第１ロック部自身が弾性変形することまたは該第１ロック部を設けた壁が弾性変形することで、相手側の第１ロック部の通過を許し且つ通過後に前記弾性変形から復帰することで、互いに係合して上方への電気部品装着ブロックの移動を阻止するものであり、前記第２ロック手段は、前記収納ボックス側の第２ロック部と前記電気部品装着ブロック側の第２ロック部の組からなり、これらの１組の第２ロック部は、下方から前記電気部品装着ブロックが収納ボックスのブロック収納空間に挿入された際に、一方の第２ロック部自身が弾性変形することまたは該第２ロック部を設けた壁が弾性変形することで、相手側の第２ロック部の通過を許し、且つ通過後に前記弾性変形から復帰することで、互いに係合して下方への電気部品装着ブロックの移動を阻止するものであることを特徴とする。
【発明の効果】
【００１０】
請求項１の発明の電気部品装着ブロックによれば、該ブロックを上方から収納ボックスに挿入した場合は、第１ロック部によってブロックを固定することができ、下方から挿入した場合は、第２ロック部によってブロックを固定することができる。従って、真上からも真下からも収納ボックスに電気部品装着ブロックを挿入することができて、挿入するだけで、そのままの位置で電気部品装着ブロックを収納ボックスに固定することができる。
【００１１】
請求項２の発明によれば、上方から電気部品装着ブロックを収納ボックスに挿入した場合は、第１ロック手段により電気部品装着ブロックを固定することができ、下方から電気部品装着ブロックを収納ボックスに挿入した場合は、第２ロック手段により電気部品装着ブロックを固定することができる。従って、真上からも真下からも収納ボックスに電気部品装着ブロックを挿入することができて、挿入するだけで、そのままの位置で電気部品装着ブロックを収納ボックスに固定することができる。
【００１２】
請求項３の発明によれば、上方から電気部品装着ブロックを収納ボックスに挿入した場合は、ブロック側の第１ロック部とボックス側の第１ロック部の係合により電気部品装着ブロックを固定することができ、下方から電気部品装着ブロックを収納ボックスに挿入した場合は、ブロック側の第２ロック部とボックス側の第２ロック部の係合により電気部品装着ブロックを固定することができる。従って、真上からも真下からも収納ボックスに電気部品装着ブロックを挿入することができて、挿入するだけで、そのままの位置で電気部品装着ブロックを収納ボックスに固定することができる。
【発明を実施するための最良の形態】
【００１３】
以下、本発明の実施形態を図面を参照しながら説明する。
【００１４】
図１は本発明の実施形態の電気接続箱の斜視図、図２は箱本体を変えた場合の電気接続箱の斜視図、図３は同電気接続箱の箱本体に組み込む電気部品装着ブロックの平面図、図４は同ブロックの斜視図、図５は下方から電気部品装着ブロックを箱本体に組み込んだ際にロック状態となる第２ロック手段の構成を示す断面図、図６は上方から電気部品装着ブロックを箱本体に組み込んだ際にロック状態となる第１ロック手段の構成を示す断面図である。
【００１５】
この電気接続箱は、上下方向に貫通したブロック収納空間２を有した箱本体（収納ボックス）１と、該箱本体１のブロック収納空間２に上方からまたは下方から挿入されることで、ブロック収納空間２内に固定される電気部品装着ブロック１０と、を具備するものである。
【００１６】
ブロック収納空間２の内壁３と電気部品装着ブロック１の外壁１３との間には、電気部品装着ブロック１０をブロック収納空間２に対して上方から挿入した際にロックする第１ロック手段（第１ロック部４、１４）と、下方から挿入した際にロックする第２ロック手段（第２ロック部５、１５）と、が設けられている。
【００１７】
第１ロック手段は、箱本体１側の第１ロック部（本例ではロック突起よりなる）４と電気部品装着ブロック１０側の第１ロック部（本例ではロックアームよりなる）１４の組からなり、これらの１組の第１ロック部４、１４は、上方から電気部品装着ブロック１０を箱本体１のブロック収納空間２に挿入した際に、一方の第１ロック部（ロックアーム）１４自身が弾性変形することで、相手側の第１ロック部（ロック突起）４の通過を許し且つ通過後に一方のロック突起（ロックアーム）１４が弾性変形から復帰することで、互いに係合して上方への電気部品装着ブロック１０の移動を阻止するようになっている。
【００１８】
また、第２ロック手段は、箱本体１側の第２ロック部（本例では下端が傾斜面で構成されたロック突起よりなる）５と電気部品装着ブロック１０側の第２ロック部（本例ではロック突起）１５の組からなり、これらの１組の第２ロック部５、１５は、下方から電気部品装着ブロック１０が箱本体１のブロック収納空間２を挿入した際に、一方の第２ロック部（ロック突起）５を設けた内壁３が外側に弾性変形することで、相手側の第２ロック部（ロック突起）１５の通過を許し、且つ通過後に前記内壁３が弾性変形から復帰することで、互いに係合して下方への電気部品装着ブロック１０の移動を阻止するようになっている。
【００１９】
このような構造の電気接続箱によれば、上方から電気部品装着ブロック１０を箱本体１のブロック収納空間２に挿入した場合は、電気部品装着ブロック１０側の第１ロック部（ロックアーム）１４と箱本体１側の第１ロック部（ロック突起）４の係合により電気部品装着ブロック１０を固定することができ、下方から電気部品装着ブロック１０を箱本体１のブロック収納空間２にに挿入した場合は、電気部品装着ブロック１０側の第２ロック部（ロック突起）１５と箱本体１側の第２ロック部（ロック突起）５の係合により電気部品装着ブロック１０を固定することができる。従って、真上からも真下からも箱本体１に電気部品装着ブロック１０を挿入することができて、挿入するだけで、そのままの位置で電気部品装着ブロック１０を箱本体１に固定することができる。
【図面の簡単な説明】
【００２０】
【図１】本発明の実施形態の電気接続箱の斜視図である。
【図２】箱本体を変えた場合の電気接続箱の斜視図である。
【図３】同電気接続箱の箱本体に組み込む電気部品装着ブロックの平面図である。
【図４】同電気部品装着ブロックの斜視図である。
【図５】下方から前記電気部品装着ブロックを箱本体に組み込んだ際にロック状態となる第２ロック手段の構成を示す断面図である。
【図６】上方から前記電気部品装着ブロックを箱本体に組み込んだ際にロック状態となる第１ロック手段の構成を示す断面図である。
【符号の説明】
【００２１】
１  箱本体
２  ブロック収納空間
３  内壁
４  第１ロック部（第１ロック手段）
５  第２ロック部（第２ロック手段）
１４  第１ロック部（第１ロック手段）
１５  第２ロック部（第２ロック手段）
【図１】
2008178167.tif 000003
【図２】
2008178167.tif 000004
【図３】
2008178167.tif 000005
【図４】
2008178167.tif 000006
【図５】
2008178167.tif 000007
【図６】
2008178167.tif 000008